(57)【特許請求の範囲】
【請求項１】
立方体形状の被包装体の対向する両端に挿着して当該物品を衝撃から保護するための包装用緩衝部材であって、各包装用緩衝部材は、１枚の矩形の段ボール板に折線あるいは半切断線を入れて折り曲げ、その上下の段ボール板の間の高さが包装すべき前記被包装体の高さとほぼ同じになるよう、断面略「コ」の字状に形成すると共に、前記上下の各段ボール板には前記被包装体の幅とほぼ同じ幅だけ隔離して一対のスリットを形成し、さらに、前記被包装体の高さとほぼ同じ幅だけ隔離して両端側にスリットを形成した一対の段ボール板を形成し、この一対の段ボール板の一方のスリット側の折返し部を折り返すと共に、同スリットを前記断面略「コ」の字状の段ボール板のスリットに噛み合うように挿入し、同段ボール板の他方のスリットの間の折曲部を折り曲げると共に、同スリットに「コ」の字状の部材の上下の段ボール板を挿入することにより、これら各部材を互いに直交するよう組み立てたことを特徴とする包装用緩衝部材。
【請求項２】
前記請求項１に記載した包装用緩衝部材であって、前記断面略「コ」の字状の段ボール板の上下の段ボール板は二重構造となっていることを特徴とする包装用緩衝部材。
【請求項３】
前記請求項１に記載した包装用緩衝部材であって、前記一対の段ボール板は、１枚の段ボール板から切り取って折り曲げ、断面略「Ｕ」字状に形成したことを特徴とする包装用緩衝部材。
【請求項４】
前記請求項１に記載した包装用緩衝部材であって、前記一対の段ボール板は、１枚の段ボール板から切り取って折り曲げ、断面略「Ｓ」字状に形成したことを特徴とする包装用緩衝部材。
【発明の詳細な説明】
【０００１】
【発明の属する技術分野】
本発明は、工場から出荷される製品等の被包装体を段ボール等の包装容器に収納するとき、外部からの衝撃に対して被包装体を保護するため、被包装体の両端に挿着して用いられる包装用緩衝部材に関する。
【０００２】
【従来技術】
従来、この種の緩衝部材としては、主として、段ボール板に所定の形状に成形した発泡スチロール板を貼り付けたもの、あるいは、発泡スチロールを被包装体と包装容器の形状に合わせて成形したもの等が使用されていた。しかしながら、かかる緩衝部材には、これを製造する際に段ボール板に発泡スチロール板を貼り付ける作業が必要となること、発泡スチロールを被包装体の形状に合わせて成形する工程が必要であり、その製作に手数がかかること、これを搬送するのはデッドスペースが多く搬送効率が悪くなること、また、かかる緩衝部材を廃棄焼却するときに発泡スチロールから有害な燃焼ガスを発生すること、さらには、このスチロールは土中では分解され難いことなど種々の問題があった。
【０００３】
一方、例えば、実開昭６１−９０７６６号公報によれば、上記従来の発泡スチロールに代え、一枚の段ボール板を切断し、かつ折線を入れるとにより、被包装体の端面または側面に対応する主パネルの両側から折線を介して直角に折れ曲がる副パネルを延設し、これら主パネルまたは副パネルからこれらパネルの内側または外側に添えられる補助パネルを、折線を介して一体的に延設した包装用緩衝部材が、既に提案され、知られている。
【０００４】
【発明が解決しようとする課題】
しかしながら、上述の従来技術になる包装用緩衝部材は、主パネルあるいは副パネルには、折線を介して、多数の小さなフラップが連なって形成された複雑な形状であり、その組み立てが難く、組み立て作業に多くの手数がかかるという問題点があり、また、その構造は、立方体形状の被包装体の対向する両端に挿着して当該物品を衝撃から保護するための包装用緩衝部材に適したものではなかった。
【０００５】
そこで、この発明では、上記の従来技術におけるの問題点を解決するため、すなわち、例えば、パソコンやプリンターなどの付属品をその内部に収納する、通常薄い立方体形状の箱体の両端部に挿着して使用し、本体の収納箱内に同梱するに適し、かつ、簡単に製作して組み立てらて、搬送や廃棄も容易な包装用緩衝部材を提供することを目的とするものである。
【０００６】
【課題を解決するための手段】
本発明によれば、上記目的を達成するため、立方体形状の被包装体の対向する両端に挿着して当該物品を衝撃から保護するための包装用緩衝部材であって、各包装用緩衝部材は、１枚の矩形の段ボール板に折線あるいは半切断線を入れて折り曲げ、その上下の段ボール板の間の高さが包装すべき前記被包装体の高さとほぼ同じになるよう、断面略「コ」の字状に形成すると共に、前記上下の各段ボール板には前記被包装体の幅とほぼ同じ幅だけ隔離して一対のスリットを形成し、さらに、前記被包装体の高さとほぼ同じ幅だけ隔離して両端側にスリットを形成した一対の段ボール板を形成し、この一対の段ボール板の一方のスリット側の折返し部を折り返すと共に、同スリットを前記断面略「コ」の字状の段ボール板のスリットに噛み合うように挿入し、同段ボール板の他方のスリットの間の折曲部を折り曲げると共に、同スリットに「コ」の字状の部材の上下の段ボール板を挿入することにより、これら各部材を互いに直交するよう組み立てたことを特徴とする包装用緩衝部材が提案される。
【０００７】
すなわち、上記の本発明になる包装用緩衝部材によれば、矩形の段ボール板に折線あるいは半切断線を入れて折り曲げ、その上下の段ボール板の間の高さが包装すべき前記被包装体の高さとほぼ同じになるよう、断面略「コ」の字状に形成すると共に、その両側に一対のスリットを形成し、この断面略「コ」の字状の部材に、やはり一対のスリットを形成した一対の段ボール板を、スリット同士が噛み合うように直交して挿入するだけの簡単な作業で、その組み立てが可能であり、その寸法も、この包装用緩衝部材を挿着する立方体形状の高さと幅に合わせて段ボール板を折り曲げ、スリットを形成する位置を変更するだけで、容易に対応することが出来る。そして、この包装用緩衝部材は、所定の形状に切り取った段ボール板を折線あるいは半切断線に沿って折り曲げて容易に組み立てることが出来ることから、その製作、搬送、廃棄の何れも容易となる。
【０００８】
【発明の実施の形態】
以下、本発明になる実施の形態の詳細について、添付の図面を参照しながら説明する。
まず、図２に示す通り、本発明による包装用緩衝部材は、段ボール（ブランク）から切断した１枚の矩形の段ボール板１０を、図の実線で示した切線に沿って切り出す。さらに、その表面上に、破線あるいは二点鎖線で示す部分には、半切線（段ボール板の厚さ方向の半分まで切れ目を入れる）、あるいは、折線（例えばミシン線など）を形成する。なお、この図において、破線は谷折り部分を、二点鎖線は山折り部分を示しており、また、図中の符号１１、１１…は、いわゆるスリットを示している。
【０００９】
そして、この切り取られた段ボール板１０は、破線は谷折りに、二点鎖線は山折りに折られ、その結果、図３に示すような、断面略「コ」の字形状の細長い部材１００が得られる。この図からも明らかなように、この断面略「コ」の字形状の部材１００を構成する上下の部分１０１、１０２の段ボール板は二重になっており、かつ、これら上下の段ボール板の間の距離Ｈは、この緩衝部材を両端に挿着する被包装体である薄い立方体形状の箱体の高さとほぼ同じ寸法となっている。また、段ボール板１０上に形成されたスリット１１、１１…は、これを折り曲げた結果、図にも明らかなように、「コ」の字形状の背面側に連続したスリット１１として形成されることとなる。なお、これらのスリット１１、１１…は、上記図２に示すように、矩形の段ボール板１０の両端部に所定の距離Ｗだけ離隔して対称に形成されているが、この距離Ｗは、やはり、被包装体である薄い立方体形状の箱体の幅と同じ寸法となっている。また、上記図２において、段ボール板１０上に「Ｈ」形状に切り取られた部分は、これを折り曲げた結果、図３に示されるように、それぞれ、「コ」の字形状の背面側に一対の突出部１２０、１２０を形成する。
【００１０】
次に、上記の断面略「コ」の字形状の部材１００に組み付ける他の部材について説明する。この部材は、やはり、切断した１枚の段ボール板２０を、図４に実線で示した形状の切線に沿って切り出し、さらに、その表面上に破線で示す部分に折線（この破線は谷折りを示す）を形成し、これを折り曲げて所定の形状（後に詳述するが、断面略「Ｕ」字形状の部材２００）に形成される。この段ボール板２０の両端側には、それぞれスリット１２、１２とスリット１３、１３が設けられている。そして一方のスリット１２、１２の間は、折曲部２２となっており、他方のスリット１３、１３側には折返し部２３が設けられている。
【００１１】
添付の図５には、上記断面略「コ」の字形状の部材１００と、上記４図に示した段ボール板２０を折り曲げて形成した、一対の断面略「Ｕ」字形状の部材２００、２００とが示されている。すなわち、１個の断面略「コ」の字形状の部材１００に対して、２個の断面略「Ｕ」字形状の部材２００、２００を用意し、これらを組み付けて包装用緩衝部材が構成されることとなる。具体的には、２個の断面略「Ｕ」字形状の部材２００、２００の一方のスリット１３、１３側の折返し部２３を折り返す。そして、図５に矢印で示すように、これら一対の断面略「Ｕ」字形状の部材２００、２００を、上記断面略「コ」の字形状の部材１００の背面側から、この断面略「コ」の字形状の部材１００と断面略「Ｕ」字形状の部材２００とが互いに直交するように、かつ、それぞれに形成されたスリット１１、１１とスリット１３、１３とが互いに噛み合うようにして組み立てられる。
【００１２】
上記のようにして組立を行った後、図６に示すように、残りの他のスリット１２、１２内には、上記断面略「コ」の字形状の部材１００の上下の部分１０１、１０２を挿入すると共に、上記スリット１２、１２の間に形成された折曲部２２を、例えば指で押し付けることにより、図中の矢印の方向に折り曲げ、これにより、断面略「Ｕ」字形状の部材２００を断面略「コ」の字形状の部材１００に対して固定する。なお、この組み付け作業は、上記断面略「コ」の字形状の部材１００の両端側において行われることは言うまでもない。
【００１３】
このようにして組み立てられた包装用緩衝部材の外観が、添付の図１に示されている。この図からも明らかなように、上記断面略「コ」の字形状の部材１００の両側に形成したスリット１１、１１に、一対の断面略「Ｕ」字形状の部材２００、２００を組み付けた結果、「井」の字状の構造の中央部に、高さＨ及び幅Ｗの挿着部４００が形成されることとなる。すなわち、この包装用緩衝部材の挿着部３００を、図の左側に示した薄い立方体形状の被包装箱体５００（高さＨ及び幅Ｗ）の両端部に挿着して（但し、図中には、一端部しか示さず）使用することとなる。これにより、被包装体である箱体５００の端部を覆って、外部の衝撃から確実に保護することが出来る。
【００１４】
次に、上記の包装用緩衝部材を構成する断面略「Ｕ」字形状の部材２００の変形例について説明する。この断面略「Ｕ」字形状の部材２００の変形例は、図７に実線で示すような形状の切線に沿ってに段ボール板２０’を切り出し、やはり、その表面上に、破線で示す部分に折線（この破線は谷折りを示す）を形成し、これを折り曲げて形成される。この切り出した段ボール板２０’を折り曲げて形成した、断面略「Ｕ」字形状の部材の変形例２００’が、図８に示されている。この図からも明らかなように、この変形例２００’では、図の左側の壁面を構成する段ボール板が全体的に二重に形成され、もって、その強度を増していることが分かる。なお、その他の構成は上記と同様である。
【００１５】
続いて、図９には、上記の包装用緩衝部材を構成する断面略「コ」の字形状の部材１００の変形例が示されている。なお、この断面略「コ」の字形状の部材の変形例１００’において、上記図２に示したものと異なる点は、所定の形状に切り取られた段ボール板１０’上に形成される折れ線は、全て二点鎖線の山折りになっていることである。この切り取られた段ボール板１０’を折り曲げて形成した断面略「コ」の字形状の部材の変形例１００’の一部の外観が、図１０に示されている。この図からも明らかなように、この断面略「コ」の字形状の部材の変形例１００’では、図９に示した一枚の段ボール板が二点鎖線で山折りに折り曲げられ、これにより、その上下の部分１０１、１０２も内側に折り曲げられた二重の段ボール板により構成されることとなる。それ以外の点は、上記図３に示したものとほぼ同様である。
【００１６】
なお、上記図７及び図８に示した断面略「Ｕ」字形状の部材の変形例２００’は、上記図２及び図３に示した断面略「コ」の字形状の部材１００と組み合わせて包装用緩衝部材を構成し、あるいは、上記図９及び図１０に示した「コ」の字形状の部材の変形例１００’を上記図４などに示した断面略「Ｕ」字形状の部材２００と組み合わせて包装用緩衝部材を構成することが可能であると共に、さらに、上記図７及び図８に示した断面略「Ｕ」字形状の部材の変形例２００’と上記図９及び図１０に示した「コ」の字形状の部材の変形例１００’とを組み合わせて包装用緩衝部材を構成することも可能である。
【００１７】
続いて、添付の図１１乃至図１３には、本発明の他の実施の形態になる包装用緩衝部材が示されている。なお、このの他の実施の形態においても、これらの図からも明らかなように、その断面略「コ」字形状の部材１００に関しては、上記図２及び図３に、あるいは、上記図９及び図１０に示した「コ」の字形状の部材の変形例１００’と同様である。しかしながら、この断面略「コ」の字形状の部材１００に組み付ける部材については、その形状が異なっている。
【００１８】
すなわち、この他の実施の形態になる包装用緩衝部材では、図１２に実線で示すような形状の切線に沿って段ボール板３０を切り出し、その表面に形成された谷折りの破線及び山折りの二点鎖線に沿って折り曲げて、図１３にも示すように、断面略「Ｓ」字状の部材３００を形成し、この部材３００を、上記断面略「コ」の字形状の部材１００に組み付ける。なお、図１２において、符号１２、１３は、やはりスリットであり、符号２２は折曲部であり、その先端部には突起部２４が形成されている。また、図中の符号２３は、やはり、折返し部を示している。さらに、図中の符号２５は、上記折曲部２２の先端部に設けられた突起部２４を挿入するための切込部を、符号２６は「Ｖ」字形状に折り曲げる外枠部を示している。
【００１９】
そして、この断面略「Ｓ」字状の部材３００は、これを折り曲げて形成した後は、上記図１３に示すように、上記断面略「コ」の字形状の部材１００の両端部のスリット１１、１１が形成された位置に、上記断面略「コ」の字形状の部材１００の背面側から、互いに直交するように、かつ、スリット１１、１１とスリット１３、１３とが互いに噛み合うようにして組み立てられる。その後、他のスリット１２、１２内には、上記断面略「コ」の字形状の部材１００の上下の部分１０１、１０２を挿入すると共に、上記の外枠部２６をＶ字形状に折り曲げる。さらに、そのスリット１２、１２の間に形成された折曲部２２を、例えば指で押し付けることにより、図中の矢印の方向に折り曲げ、その先端部に設けられた突起部２４を、対向する折返し部２３に形成した切込部２５へ挿入する。これにより、断面略「Ｓ」字形状の部材３００を断面略「コ」の字形状の部材１００に対して固定する。なお、この組み付け作業は、上記断面略「コ」の字形状の部材１００の両側において行われることは、やはり上記と同様である。
【００２０】
このようにして組み立てられた他の実施の形態になる包装用緩衝部材は、やはり、図１１からも明らかなように、スリット１１、１１とスリット１３、１３とを介して互いに組み付けた断面略「コ」の字形状の部材１００と一対の断面略「Ｓ」字状の部材３００、３００により、「井」の字状の構造の中央部には、高さＨ及び幅Ｗの挿着部３００’が形成される。そして、この包装用緩衝部材の挿着部３００’を、図の左側に示した薄い立方体形状の箱体５００’（高さＨ及び幅Ｗ）の両端部に挿着して（但し、図中には、一端部しか示さず）使用することは上記と同様である。しかしながら、この他の実施の形態になる包装用緩衝部材の構造は、その外枠部２６がＶ字形状に折り曲げられて横方向に広く延びていることから、特に、その幅Ｗが大きな場合にも、十分な強度が得られることとなる。また、その折曲部２２の先端部に設けられた突起部２４や折返し部２３に形成した切込部２５により、固定強度も増大されることとなる。
【００２１】
【発明の効果】
以上の詳細な説明にも明らかなように、本発明になる包装用緩衝部材によれば、矩形の段ボールに折線あるいは半切断線を入れて折り曲げ、上下の段ボール板の間の高さが被包装体の高さとほぼ同じになるよう、断面略「コ」の字状に形成すると共に、その両側に一対のスリットを形成した部材に、やはり、一対のスリットを形成した一対の段ボール板を、スリット同士が噛み合うように直交して挿入するだけの簡単な作業で組み立て可能であることから、この段ボール板を打ち抜いて展開したままの状態で搬送すれば、搬送の際にもかさばらず、デッドスペースの少ない効率の良い搬送が出来、さらには、その構造からも簡単に組み立てて被包装体である物品のコーナ部を確実に保護することが可能であり、その寸法も、この包装用緩衝部材を挿着する立方体形状の高さと幅に合わせて段ボール板を折り曲げ、スリットを形成する位置を変更するだけで、容易に対応することが出来、加えて、発泡スチロール等の緩衝部材を用いないため、廃棄処理も容易に行うことが出来るという優れた効果を発揮することとなる。
【図面の簡単な説明】
【図１】本発明の一実施の形態である包装用緩衝部材を組み立てて箱体の端部に挿着する状態を示す全体斜視図である。
【図２】上記本発明の包装用緩衝部材を構成する断面略「コ」の字形状部材の段ボール展開図である。
【図３】上記図２の段ボール展開図を折り曲げて形成した断面略「コ」の字形状部材の外観形状を示す一部拡大斜視図である。
【図４】上記本発明の包装用緩衝部材を構成する断面略「Ｕ」の字形状部材の段ボール展開図である。
【図５】上記図４の段ボール展開図を折り曲げて形成した一対の断面略「Ｕ」の字形状部材を上記断面略「コ」の字形状部材に組み付ける状態を示す全体外観斜視図である。
【図６】上記断面略「Ｕ」の字形状部材を上記断面略「コ」の字形状部材に組み付ける際の折り曲げ動作を説明するための一部拡大斜視図である。
【図７】上記包装用緩衝部材を構成する断面略「Ｕ」字形状の部材の変形例の段ボール展開図である。
【図８】上記図７に示した断面略「Ｕ」字形状の部材の変形例を折り曲げて形成した状態を示す斜視図である。
【図９】上記包装用緩衝部材を構成する断面略「コ」字形状の部材の変形例の段ボール展開図である。
【図１０】上記図９に示した断面略「コ」字形状の部材の変形例を折り曲げて形成した状態を示す一部拡大斜視図である。
【図１１】本発明の他の実施の形態である包装用緩衝部材を組み立てて箱体の端部に挿着する状態を示す全体斜視図である。
【図１２】上記他の実施の形態の包装用緩衝部材を構成する断面略「Ｓ」字形状の部材の段ボール展開図である。
【図１３】上記図１２に示した断面略「Ｓ」字形状の部材を折り曲げて形成した状態を示す斜視図である。
【符号の説明】
１０、１０’  段ボール板
１１、１２、１３  スリット
１００  断面略「コ」の字形状の部材
１００’  断面略「コ」の字形状の部材の変形例
１０１、１０２  上下の部分の段ボール板二重部
１２０  突出部
２０、２０’、３０  段ボール板
２２  折曲部
２３  折返し部
２００  断面略「Ｕ」字形状の部材
２００’  断面略「Ｕ」字形状の部材の変形例
３００  断面略「Ｓ」字状の部材
２４  突起部
２５  切込部
２６  「Ｖ」字形状に折り曲げる外枠部
４００  挿着部
５００  被包装箱体
【図１】
0003773609.tif 000002
【図２】
0003773609.tif 000003
【図３】
0003773609.tif 000004
【図４】
0003773609.tif 000005
【図６】
0003773609.tif 000006
【図５】
0003773609.tif 000007
【図７】
0003773609.tif 000008
【図８】
0003773609.tif 000009
【図９】
0003773609.tif 000010
【図１０】
0003773609.tif 000011
【図１１】
0003773609.tif 000012
【図１２】
0003773609.tif 000013
【図１３】
0003773609.tif 000014